(57)【要約】【課題】停電等の電力供給に支障がある場合であっても、収容手段で収容された生成水を継続的に殺菌消毒することができる飲料水生成装置を提供する。【解決手段】空気中の水分を結露させることにより生成水を得る水生成手段３と、その生成された生成水を収容し得る収容手段４と、収容手段４内の生成水を外部に導出させて取り出し可能とする導出流路５と、オゾンを生成し得るオゾン生成手段９と、オゾン生成手段９で生成されたオゾンを収容手段４に導入し得る導入流路１１と、オゾン生成手段９で生成されたオゾンを導入流路１１を介して収容手段４に送り込み可能なオゾン用ポンプ１０とを具備した飲料水生成装置において、発電又は蓄電可能な可搬式電源１５を具備し、可搬式電源１５によってオゾン生成手段９及びオゾン用ポンプ１０に電力を供給して収容手段４内の生成水にオゾンを導入可能とされたものである。【選択図】図１
2019100158.tif 000002
【特許請求の範囲】
【請求項１】
空気を冷却してその空気中の水分を結露させることにより生成水を得る水生成手段と、
前記水生成手段で得られた生成水を所定量収容し得る収容手段と、
前記収容手段で収容された生成水を外部に導出させて取り出し可能とする導出流路と、
オゾンを生成し得るオゾン生成手段と、
前記オゾン生成手段で生成されたオゾンを前記収容手段に導入し得る導入流路と、
前記オゾン生成手段で生成されたオゾンを前記導入流路を介して前記収容手段に送り込み可能なオゾン用ポンプと、
を具備した飲料水生成装置において、
発電又は蓄電可能な可搬式電源を具備し、当該可搬式電源によって少なくとも前記オゾン生成手段及びオゾン用ポンプに電力を供給して前記収容手段内の生成水にオゾンを導入可能とされたことを特徴とする飲料水生成装置。
【請求項２】
前記可搬式電源又は交流電源に選択的に接続可能な接続端子を具備するとともに、当該接続端子に前記交流電源が接続された場合、当該交流電源によって少なくとも前記水生成手段に電力を供給して生成水を生成可能とされ、且つ、当該交流電源に代えて前記可搬式電源が前記接続端子に接続された場合、当該可搬式電源によって前記オゾン生成手段及びオゾン用ポンプに加え、少なくとも前記水生成手段に電力を供給して生成水を生成可能とされたことを特徴とする請求項１記載の飲料水生成装置。
【請求項３】
前記可搬式電源は、太陽光により発電可能な太陽光発電手段又は風力により発電可能な風力発電手段から成ることを特徴とする請求項１又は請求項２記載の飲料水生成装置。
【請求項４】
前記可搬式電源は、蓄電及び放電可能な２次電池から成ることを特徴とする請求項１又は請求項２記載の飲料水生成装置。
【発明の詳細な説明】
【技術分野】
【０００１】
本発明は、空気を冷却してその空気中の水分を結露させることにより装置内で生成水を得るとともに、その生成水を浄化して飲料水を生成するための飲料水生成装置に関し、特に電力供給に支障がある場合でも生成した飲料水を継続的に殺菌消毒することができる飲料水生成装置に関するものである。
【背景技術】
【０００２】
従来、空気を冷却してその空気中の水分を結露させることにより生成水を得るとともに、その生成水を浄化して飲料水を生成する飲料水生成装置について提案されている。かかる飲料水生成装置によれば、外気を取り込んで水生成手段により水（生成水）を生成した後、当該生成水をフィルタ等の浄化手段にて浄化することにより飲料水を生成することができるので、飲料水を収容したタンク等を交換する必要がなく、様々な場所で容易に飲料水を提供することができる。なお、かかる先行技術は、文献公知発明に係るものでないため、記載すべき先行技術文献情報はない。
【発明の概要】
【発明が解決しようとする課題】
【０００３】
しかしながら、上記従来技術においては、飲料水生成装置の内部に水生成手段で生成された水を所定量収容可能な収容手段を具備するとともに、必要時に適宜、収容手段内の生成水を導出させつつ浄化して飲料水を生成する必要があった。このため、長期に亘って使用されない場合、収容手段で収容された生成水に雑菌等が発生して繁殖してしまう虞があった。
【０００４】
そこで、本出願人は、収容手段で収容された生成水に対してオゾンを噴出させ、雑菌等が繁殖してしまうのを抑制することを検討するに至った。この場合、停電等の電力供給に支障があり、飲料水の生成を行うことができない場合であっても、それまでに生成した水が収容手段に収容されていることから、停電等が解消すれば、生成水の提供を直ちに行わせることができる。ところが、停電等が生じた場合、飲料水の生成は勿論、収容手段で収容された生成水にオゾンを噴出させることができず、雑菌等の繁殖を抑えることができないことから、停電等が解消しても直ちに衛生的な生成水を提供することができないという問題がある。
【０００５】
本発明は、このような事情に鑑みてなされたもので、停電等の電力供給に支障がある場合であっても、収容手段で収容された生成水を継続的に殺菌消毒することができる飲料水生成装置を提供することにある。
【課題を解決するための手段】
【０００６】
請求項１記載の発明は、空気を冷却してその空気中の水分を結露させることにより生成水を得る水生成手段と、前記水生成手段で得られた生成水を所定量収容し得る収容手段と、前記収容手段で収容された生成水を外部に導出させて取り出し可能とする導出流路と、オゾンを生成し得るオゾン生成手段と、前記オゾン生成手段で生成されたオゾンを前記収容手段に導入し得る導入流路と、前記オゾン生成手段で生成されたオゾンを前記導入流路を介して前記収容手段に送り込み可能なオゾン用ポンプとを具備した飲料水生成装置において、発電又は蓄電可能な可搬式電源を具備し、当該可搬式電源によって少なくとも前記オゾン生成手段及びオゾン用ポンプに電力を供給して前記収容手段内の生成水にオゾンを導入可能とされたことを特徴とする。
【０００７】
請求項２記載の発明は、請求項１記載の飲料水生成装置において、前記可搬式電源又は交流電源に選択的に接続可能な接続端子を具備するとともに、当該接続端子に前記交流電源が接続された場合、当該交流電源によって少なくとも前記水生成手段に電力を供給して生成水を生成可能とされ、且つ、当該交流電源に代えて前記可搬式電源が前記接続端子に接続された場合、当該可搬式電源によって前記オゾン生成手段及びオゾン用ポンプに加え、少なくとも前記水生成手段に電力を供給して生成水を生成可能とされたことを特徴とする。
【０００８】
請求項３記載の発明は、請求項１又は請求項２記載の飲料水生成装置において、前記可搬式電源は、太陽光により発電可能な太陽光発電手段又は風力により発電可能な風力発電手段から成ることを特徴とする。
【０００９】
請求項４記載の発明は、請求項１又は請求項２記載の飲料水生成装置において、前記可搬式電源は、蓄電及び放電可能な２次電池から成ることを特徴とする。
【発明の効果】
【００１０】
請求項１の発明によれば、発電又は蓄電可能な可搬式電源を具備し、当該可搬式電源によって少なくともオゾン生成手段及びオゾン用ポンプに電力を供給して収容手段内の生成水にオゾンを導入可能とされたので、停電等の電力供給に支障がある場合であっても、収容手段で収容された生成水を継続的に殺菌消毒することができる。
【００１１】
請求項２の発明によれば、可搬式電源又は交流電源に選択的に接続可能な接続端子を具備するとともに、当該接続端子に交流電源が接続された場合、当該交流電源によって少なくとも水生成手段に電力を供給して生成水を生成可能とされ、且つ、当該交流電源に代えて可搬式電源が接続端子に接続された場合、当該可搬式電源によってオゾン生成手段及びオゾン用ポンプに加え、少なくとも水生成手段に電力を供給して生成水を生成可能とされたので、電力事情によって電源を任意選択することができる。
【００１２】
特に、接続端子に可搬式電源を接続すれば、交流電源等の外部電源を不要とすることができるので、電力事情が悪い地域や乗り物内等に飲料水生成装置を容易に設置することができる。
【００１３】
請求項３の発明によれば、可搬式電源は、太陽光により発電可能な太陽光発電手段又は風力により発電可能な風力発電手段から成るので、２次電池と比べて、充電等を行う必要がなく、生成された飲料水の殺菌消毒を良好に行わせることができる。
【００１４】
請求項４の発明によれば、可搬式電源は、蓄電及び放電可能な２次電池から成るので、例えば屋内や乗り物内など、太陽光や風がほとんどない場所にも容易に設置することができる。
【図面の簡単な説明】
【００１５】
【図１】本発明の第１の実施形態に係る飲料水生成装置の接続端子に交流電源を接続させた状態を示す全体模式図
【図２】同飲料水生成装置の接続端子に可搬式電源を接続させた状態を示す全体模式図
【図３】同飲料水生成装置における収容手段及びオゾンの噴出形態を示す模式図
【図４】同飲料水生成装置における収容手段及びオゾンの他の噴出形態を示す模式図
【図５】本発明の第２の実施形態に係る飲料水生成装置の接続端子に交流電源を接続させた状態を示す全体模式図
【図６】同飲料水生成装置の接続端子に可搬式電源を接続させた状態を示す全体模式図
【図７】本発明の他の実施形態に係る飲料水生成装置を示す全体模式図
【図８】本発明の他の実施形態に係る飲料水生成装置を示す全体模式図
【発明を実施するための形態】
【００１６】
以下、本発明の実施形態について図面を参照しながら具体的に説明する。
本実施形態に係る飲料水生成装置は、空気を冷却してその空気中の水分を結露させることにより装置内で生成水を得るとともに、その生成水を浄化して飲料水を生成するためのもので、図１、２に示すように、装置本体１と、水生成手段３と、収容手段４と、導出流路５と、浄化手段７と、オゾン生成手段９と、導入流路１１と、オゾン用ポンプ１０と、逆止弁１２と、可搬式電源１５と、接続端子１６と、変換器１７とを主に具備して構成されている。
【００１７】
装置本体１は、本飲料水生成装置の筐体を構成するもので、内部に種々手段（水生成手段３、浄化手段７及びオゾン生成手段９等）及び部品や配管（オゾン用ポンプ１０や導出流路５等）が配設されている。装置本体１の所定位置には、外気を装置内部に強制導入するためのファン２が形成されており、そのファン２によって外気を水生成手段３に供給しつつ冷却し得るよう構成されている。なお、ファン２で導入された外気（空気）に含まれる異物を捕捉して除去し得るフィルタ等を配設するのが好ましい。
【００１８】
水生成手段３は、装置本体１内において空気中の水分を結露させることにより生成水を得ることができるもので、例えば金属製部品の裏面側にフィン３ａが形成されたものを使用することができる。すなわち、ファン２により空気が水生成手段３に導入されるとともに、その空気がファン２の送風及びフィン３ａの冷却作用によって冷却されるので、空気中に含まれる水分を結露させることにより効率よく生成水を得ることができるのである。なお、空気を冷却してその空気中の水分を結露させることにより生成水を得るものであれば、他の形態の水生成手段３としてもよい。
【００１９】
水生成手段３によって生成された生成水は、その下方に配設された収容手段４に供給されるようになっている。かかる収容手段４は、水生成手段３で得られた生成水を所定量収容し得るタンク等から成るもので、本実施形態においては、収容した生成水の液位を検出し得る検出手段１３が取り付けられている。この検出手段１３は、例えば浮きの浮力を利用した機械式のものやセンサ（光や音波を生成水に照射し、反射或いは透過した光又は音波を検出することにより液位を検出するもの等）を利用したもの等、何れの形態であってもよい。
【００２０】
また、収容手段４の底面には、管やチューブ等から成る導出流路５が接続されている。かかる導出流路５は、収容手段４で収容された生成水を外部に導出させて取り出し可能とされたもので、先端の吐出口５ａから飲料水を吐出可能とされるとともに、流路の途中において、導出ポンプ６、浄化手段７及び電磁弁８がそれぞれ配設されている。しかるに、通常時、導出ポンプ６は停止状態とされるとともに、電磁弁８は閉状態（導出流路５が遮蔽された状態）とされている。
【００２１】
そして、装置本体１の正面や側面等に取り付けられた例えば操作ボタンやレバー等から成る操作手段１４を操作すると、電磁弁８が開状態（導出流路５が解放された状態）とされつつ導出ポンプ６が駆動するので、収容手段４内に収容された生成水が導出流路５を流通して吐出口５ａから吐出されるようになっている。なお、導出ポンプ６を具備せず、電磁弁８が開状態となると、自重にて飲料水が吐出口５ａから吐出されるものとしてもよく、或いは電磁弁８を具備せず、駆動しない状態で流路を遮蔽し、駆動によって生成水を流通させ得る導出ポンプ６を用いてもよい。
【００２２】
浄化手段７は、導出流路５で導出される生成水を浄化して飲料水を生成するためのもので、本実施形態においては、例えば活性炭フィルタやＲＯ膜など、複数の浄化手段が接続されている。しかして、収容手段４で収容された生成水は、導出流路５を流通する過程で浄化手段７を通過して浄化され、飲料水となって吐出口５ａから吐出されるよう構成されている。なお、浄化手段７として、オゾン生成手段９から生成水中に噴出されたオゾンを中和（例えば、オゾンを分解して酸素に戻す作用等）し得るものを用いてもよい。
【００２３】
オゾン生成手段９は、装置本体１内においてオゾン（Ｏ３）を生成し得るもので、例えば無声放電方式によるもの、コロナ放電方式によるもの、或いはいくつかの放電方式を組み合わせた複合放電方式によるもの等を用いることができる。具体的には、対向した２つの電極間に誘電体を置き、電極間に数千サイクルの交流高電圧を印加して放電（無声放電）を生じさせるとともに、電極間のギャップに空気（又は高濃度の酸素）を流通させるものが挙げられる。この場合、放電による加速電子の働きにより、酸素分子の一部が２つの酸素原子に解離し、その解離した酸素原子が他の酸素分子と反応してオゾンが生成されることとなる。
【００２４】
なお、放電方式とは異なる他の形態のオゾン生成手段９としてもよく、例えば紫外線ランプを用いる光化学化学法によりオゾンを生成可能なもの、電気分解を用いる電解法によりオゾンを生成可能なもの、活性炭を用いて吸着分解させる活性炭吸着分解法によりオゾンを生成可能なもの等としてもよい。このようなオゾン生成手段９にて生成したオゾンは、微生物（細菌、真菌など）や臭気物質に作用して、殺菌消毒及び脱臭の他、色素類の脱色も可能とされている。
【００２５】
導入流路１１は、オゾン生成手段９と収容手段４とを接続する配管やチューブ等の流路から成り、オゾン生成手段９で生成されたオゾンを収容手段４に供給し、当該収容手段４に収容された生成水中にオゾンを噴出可能とされている。すなわち、導入流路１１は、図３に示すように、その先端の吐出口１１ａが収容手段４の底面近傍に位置するよう配設されており、オゾン生成手段９で生成されたオゾンが吐出口１１ａから吐出され、収容手段４に収容された生成水中に噴出されるよう構成されている。
【００２６】
これにより、吐出口１１ａから噴出されたオゾンは、生成水中で気泡となって上方に向かって流れ、その過程で生成水を殺菌消毒することができるのである。なお、導入流路１１は、図４に示すように、その先端に複数の吐出口１１ｂが形成され、各々の吐出口１１ｂからオゾンが噴出されるよう構成してもよい。この場合、収容手段４の略全域に亘ってオゾンを供給及び噴出させることができ、殺菌消毒効果をより向上させることができる。
【００２７】
また、導入流路１１には、オゾン用ポンプ１０及び逆止弁１２がそれぞれ取り付けられている。オゾン用ポンプ１０は、駆動により、オゾン生成手段９で生成されたオゾンを導入流路１１を介して収容手段４に送り込み可能なポンプから成るとともに、逆止弁１２は、導入流路１１から収容手段４へのオゾンの流動を許容しつつ収容手段４から導入流路１１への生成水の流動を遮断する弁から成る。
【００２８】
さらに、本実施形態においては、検出手段１３で検出された液位が所定の液位を維持した通常状態において、オゾン生成手段９で生成されたオゾンを収容手段４に収容された生成水中に噴出させるとともに、検出手段１３で検出された液位が所定の液位より低下したことを条件として、オゾン生成手段９によるオゾンの生成及び収容手段４に収容された生成水中へのオゾンの噴出を自動的に停止（すなわち、オゾン用ポンプ１０を停止）させるよう構成されている。
【００２９】
ここで、本実施形態においては、発電又は蓄電可能な可搬式電源１５を具備し、可搬式電源１５によって少なくともオゾン生成手段９及びオゾン用ポンプ１０に電力を供給して収容手段４内の生成水にオゾンを導入可能とされている。かかる可搬式電源１５は、交流電源のような建物等の設備に設置されたものとは異なり、装置本体１と共に持ち運び可能とされつつ電力供給可能なもので、例えば、太陽光により発電可能な太陽光発電手段（ソーラーパネル等）又は風力により発電可能な風力発電手段（風力発電機）であってもよく、或いは蓄電及び放電可能な２次電池（バッテリ等）であってもよい。特に、本実施形態においては、装置本体１から配線Ｈ１が延設されており、その配線Ｈ１の先端に可搬式電源１５を接続することにより、オゾン生成手段９及びオゾン用ポンプ１０に対して当該可搬式電源１５の電力が供給されるようになっている。
【００３０】
また、本実施形態においては、可搬式電源１５又は交流電源（ＡＣ）に選択的に接続可能な接続端子１６を具備するとともに、図１に示すように、当該接続端子１６に交流電源（ＡＣ）が接続（すなわち、配線Ｈ２の先端に形成されたプラグが交流電源（ＡＣ）に接続）された場合、当該交流電源（ＡＣ）によって少なくとも水生成手段（本実施形態においては、水生成手段３の他、ファン２、導出ポンプ６及び電磁弁８）に電力を供給して生成水を生成可能とされている。この場合、可搬式電源１５によりオゾン生成手段９及びオゾン用ポンプ１０に電力が供給されて収容手段４内の生成水にオゾンが導入可能とされている。
【００３１】
さらに、図２に示すように、交流電源（ＡＣ）に代えて可搬式電源１５が接続端子１６に接続された場合、当該可搬式電源１５によってオゾン生成手段９及びオゾン用ポンプ１０に加え、少なくとも水生成手段３（本実施形態においては、水生成手段３の他、ファン２、導出ポンプ６及び電磁弁８）に電力を供給して生成水を生成可能とされている。この場合、可搬式電源１５により装置本体１の全ての部品に対する電力供給が行われることとなる。
【００３２】
より具体的には、接続端子１６には、オゾン生成手段９及びオゾン用ポンプ１０以外の構成部品に電力供給可能な配線Ｈａが接続されるとともに、直流電流を交流電流に変換可能な変換器１７と配線Ｈｂを介して接続されている。かかる変換器１７は、配線Ｈｃと接続されており、交流電流に変換された電流を配線Ｈａに流すことができるようになっている。そして、図１に示すように、接続端子１６に対して配線Ｈ２を介して交流電源（ＡＣ）を接続させると、配線Ｈａを介して水生成手段３を含む手段（すなわち、オゾン生成手段９及びオゾン用ポンプ１０以外の構成部品であって、ファン２、導出ポンプ６及び電磁弁８等の構成部品）に交流電源（ＡＣ）による電力供給が可能とされるとともに、オゾン生成手段９及びオゾン用ポンプ１０に対しては配線Ｈ１を介して可搬式電源１５による電力供給が行われる。
【００３３】
一方、図２に示すように、交流電源（ＡＣ）に代えて、接続端子１６に対して可搬式電源１５から延設された配線Ｈ３を接続させると、可搬式電源１５の直流電流が変換器１７にて交流電流に変換され、配線Ｈｃ及び配線Ｈａを介して水生成手段３を含む手段（すなわち、オゾン生成手段９及びオゾン用ポンプ１０以外の構成部品であって、ファン２、導出ポンプ６及び電磁弁８等の構成部品）に可搬式電源１５による電力供給が可能とされるとともに、オゾン生成手段９及びオゾン用ポンプ１０に対しては可搬式電源１５による電力供給が引き続き行われる。
【００３４】
次に、本発明の第２の実施形態に係る飲料水生成装置について説明する。
本実施形態に係る飲料水生成装置は、第１の実施形態と同様、空気を冷却してその空気中の水分を結露させることにより装置内で生成水を得るとともに、その生成水を浄化して飲料水を生成するためのもので、図５、６に示すように、装置本体１と、水生成手段３と、収容手段４と、導出流路５と、浄化手段７と、オゾン生成手段９と、導入流路１１と、オゾン用ポンプ１０と、逆止弁１２と、可搬式電源１５と、接続端子１６と、変換器１７、循環流路１８と、循環用ポンプ１９とを主に具備して構成されている。なお、上記実施形態と同様の構成要素には、同一の符号を付し、それらの詳細な説明について省略する。
【００３５】
本実施形態に係る収容手段４は、水生成手段３で得られた生成水を所定量収容し得るタンク等から成るもので、所定部位と他の部位とを接続して収容された生成水を循環可能な循環流路１８を具備している。かかる循環流路１８は、収容手段４に接続された配管又はチューブ等の流路から成るもので、循環用ポンプ１９が取り付けられている。そして、循環用ポンプ１９を駆動させることにより、収容手段４内の生成水を所定部位から他の部位まで流動させ、当該収容手段４内で循環させ得るようになっている。
【００３６】
この循環流路１８には、導入流路１１が接続されており、オゾン生成手段９にてオゾンを発生させつつオゾン用ポンプ１０を駆動させることにより、オゾン生成手段９で生成したオゾンが循環流路１８にて循環する生成水中に噴出され得るよう構成されている。しかして、収容手段４にて収容された生成水は、循環流路１８を流動する過程でオゾンが噴出され、生成水全体に亘って殺菌消毒されることとなる。
【００３７】
ここで、本実施形態においては、第１の実施形態と同様、発電又は蓄電可能な可搬式電源１５を具備し、可搬式電源１５によって少なくともオゾン生成手段９及びオゾン用ポンプ１０に電力を供給して収容手段４内の生成水にオゾンを導入可能とされている。かかる可搬式電源１５は、第１の実施形態と同様、装置本体１と共に持ち運び可能とされつつ電力供給可能なもので、例えば、太陽光により発電可能な太陽光発電手段（ソーラーパネル等）又は風力により発電可能な風力発電手段（風力発電機）であってもよく、或いは蓄電及び放電可能な２次電池（バッテリ等）であってもよい。
【００３８】
また、本実施形態においては、可搬式電源１５又は交流電源（ＡＣ）に選択的に接続可能な接続端子１６を具備するとともに、図５に示すように、当該接続端子１６に交流電源（ＡＣ）が接続（すなわち、配線Ｈ２の先端に形成されたプラグが交流電源（ＡＣ）に接続）された場合、当該交流電源（ＡＣ）によって少なくとも水生成手段（本実施形態においては、水生成手段３の他、ファン２、導出ポンプ６及び電磁弁８）に電力を供給して生成水を生成可能とされている。この場合、可搬式電源１５によりオゾン生成手段９、オゾン用ポンプ１０及び循環用ポンプ１９に電力が供給されて収容手段４内の生成水にオゾンが導入可能とされている。
【００３９】
さらに、図６に示すように、交流電源（ＡＣ）に代えて可搬式電源１５が接続端子１６に接続された場合、当該可搬式電源１５によってオゾン生成手段９、オゾン用ポンプ１０及び循環ポンプ１９に加え、少なくとも水生成手段３（本実施形態においては、水生成手段３の他、ファン２、導出ポンプ６及び電磁弁８）に電力を供給して生成水を生成可能とされている。この場合、可搬式電源１５により装置本体１の全ての部品に対する電力供給が行われることとなる。
【００４０】
本発明の第１の実施形態及び第２の実施形態によれば、発電又は蓄電可能な可搬式電源１５を具備し、当該可搬式電源１５によって少なくともオゾン生成手段９及びオゾン用ポンプ１０に電力を供給して収容手段４内の生成水にオゾンを導入可能とされたので、停電等の電力供給に支障がある場合であっても、収容手段４で収容された生成水を継続的に殺菌消毒することができる。
【００４１】
また、可搬式電源１５又は交流電源（ＡＣ）に選択的に接続可能な接続端子１６を具備するとともに、当該接続端子１６に交流電源（ＡＣ）が接続された場合、当該交流電源（ＡＣ）によって少なくとも水生成手段３に電力を供給して生成水を生成可能とされ、且つ、当該交流電源（ＡＣ）に代えて可搬式電源１５が接続端子１６に接続された場合、当該可搬式電源１５によってオゾン生成手段９及びオゾン用ポンプ１０に加え、少なくとも水生成手段３に電力を供給して生成水を生成可能とされたので、電力事情によって電源を任意選択することができる。特に、接続端子１６に可搬式電源１５を接続すれば、交流電源（ＡＣ）等の外部電源を不要とすることができるので、電力事情が悪い地域や乗り物内等に飲料水生成装置を容易に設置することができる。
【００４２】
また、可搬式電源１５は、太陽光により発電可能な太陽光発電手段又は風力により発電可能な風力発電手段から成るものとすれば、２次電池と比べて、充電等を行う必要がなく、生成された飲料水の殺菌消毒を良好に行わせることができる。さらに、可搬式電源１５は、蓄電及び放電可能な２次電池から成るものとすれば、例えば屋内や乗り物内など、太陽光や風がほとんどない場所にも容易に設置することができる。
【００４３】
なお、上記第１の実施形態及び第２の実施形態によれば、オゾンを生成し得るオゾン生成手段９を具備し、当該オゾン生成手段９で生成されたオゾンを収容手段４に収容された生成水中に噴出可能とされたので、オゾンの殺菌消毒効果によって、収容手段４で収容された生成水を効率よく確実に殺菌消毒することができ、より衛生的な飲料水を得ることができる。特に、オゾン生成手段９で生成されたオゾンは、収容手段４の生成水中において気泡となって上方へ流通し、装置本体１内に放散されるので、装置本体１内の他の手段（例えば水生成手段３等）も殺菌消毒等することができる。
【００４４】
また、本実施形態によれば、オゾン生成手段９と収容手段４とを接続する導入流路１１と、オゾン生成手段９で生成されたオゾンを導入流路１１を介して収容手段４に送り込み可能なオゾン用ポンプ１０と、導入流路１１に取り付けられ、導入流路１１から収容手段４へのオゾンの流動を許容しつつ収容手段４から導入流路１１への生成水の流動を遮断する逆止弁１２とを具備したので、オゾン生成手段９で生成されたオゾンを確実に収容手段４に収容された生成水中に噴出させることができるとともに、収容手段４に収容された生成水がオゾン生成手段９に至ってしまうのを防止することができる。
【００４５】
さらに、第２の実施形態によれば、収容手段４は、所定部位と他の部位とを接続して収容された生成水を循環可能な循環流路１８を具備するとともに、当該循環流路１８を循環する生成水中にオゾン生成手段９で生成されたオゾンを噴出可能とされたので、収容手段４内における生成水の循環及び攪拌を行わせつつオゾンによる殺菌消毒を図ることができ、より衛生的な飲料水を得ることができる。
【００４６】
またさらに、収容手段４で収容された生成水の液位を検出する検出手段１３を具備するとともに、当該検出手段１３で検出された液位が所定の液位より低下したことを条件として、オゾン生成手段９によるオゾンの生成及び収容手段４に収容された生成水中へのオゾンの噴出を停止させるので、オゾンの無駄な使用を防止することができる。これにより、装置のランニングコストを抑制することができる。
【００４７】
以上、本実施形態について説明したが、本発明はこれらに限定されず、例えば図７に示すように、第１の実施形態に係る飲料水生成装置において、可搬式電源１５にて全ての構成部品（オゾン生成手段９及びオゾン用ポンプ１０を含む全ての構成部品）に対する電力供給が行われるもの、或いは図８に示すように、第２の実施形態に係る飲料水生成装置において、可搬式電源１５にて全ての構成部品（オゾン生成手段９及びオゾン用ポンプ１０を含む全ての構成部品）に対する電力供給が行われるものとしてもよい。
【００４８】
また、発電可能な可搬式電源１５は、他の形態の可搬式電源としてもよく、例えば太陽光エネルギー及び風力エネルギーとは異なる自然エネルギー（再生エネルギー）を利用して発電可能なもの等としてもよい。さらに、可搬式電源１５としての２次電池は、鉛蓄電池やリチウム電池を用いることができ、他の形態の燃料電池を用いるようにしてもよい。
【００４９】
なお、導出流路５や導入流路１１を収容手段４の他の部位に接続したもの、循環流路１８を他の部位に接続して循環させるもの等としてもよい。また、本実施形態においては、収容手段４及びオゾン生成手段９が装置本体１内に配設されているが、収容手段４又はオゾン生成手段９の何れか一方又は両方が装置本体１の上部や側方に配設されたものとしてもよい。
【産業上の利用可能性】
【００５０】
発電又は蓄電可能な可搬式電源を具備し、当該可搬式電源によって少なくともオゾン生成手段及びオゾン用ポンプに電力を供給して収容手段内の生成水にオゾンを導入可能とされた飲料水生成装置であれば、外観形状が異なるもの或いは他の機能が付加されたもの等にも適用することができる。
【符号の説明】
【００５１】
１  装置本体
２  ファン
３  水生成手段
３ａ  フィン
４  収容手段
５  導出流路
５ａ  吐出口
６  導出ポンプ
７  浄化手段
８  電磁弁
９  オゾン生成手段
１０  オゾン用ポンプ
１１  導入流路
１１ａ、１１ｂ  噴出口
１２  逆止弁
１３  検出手段
１４  操作手段
１５  可搬式電源
１６  接続端子
１７  変換器
１８  循環流路
１９  循環用ポンプ
【図１】
2019100158.tif 000003
【図２】
2019100158.tif 000004
【図３】
2019100158.tif 000005
【図４】
2019100158.tif 000006
【図５】
2019100158.tif 000007
【図６】
2019100158.tif 000008
【図７】
2019100158.tif 000009
【図８】
2019100158.tif 000010